(57)【特許請求の範囲】
【請求項１】
複数の図柄を周囲に配置した回転リールを有するリールユニットと、
前記リールユニットの前記回転リールの回転駆動を開始させるためのスタートスイッチと、
前記リールユニットの前記回転リールの回転駆動を停止させるためのストップスイッチと、
前記図柄の組み合わせにより構成される当選役を抽選により決定するための当選抽選手段と、
所定の報知を行うための報知手段と、
前記当選抽選手段の抽選結果に対応した停止制御を前記リールユニットに対して行うための遊技制御手段とを備え、
３枚の遊技メダルの投入を条件として遊技が開始可能となり、前記当選抽選手段の抽選結果、所定の前記当選役に当選することにより当選フラグが成立し、且つ前記リールユニットが前記当選役に応じて予め定められた図柄表示の態様になることにより入賞となり所定枚数の遊技メダルの払い出しが実施可能となり、或いは前記図柄表示の態様にならないことにより外れとなって１回の遊技が終了するように設定されたスロットマシンにおいて、
遊技の開始に先立って投入される遊技メダルの投入を検知する投入スイッチと、
前回の遊技の終了確定時から、今回の遊技の１枚目の遊技メダルの投入を前記投入スイッチが検知するまでの時間を計測可能な計測手段と、
前記計測手段が計測した時間に対応して、実行する演出を選択する演出選択手段とを備え、
前記演出として、前回の遊技の前記当選抽選手段の抽選結果を前記報知手段により報知する報知演出を備え、
前記演出選択手段は、
前記計測手段の時計測に基づく前回の遊技の終了確定時から今回の遊技の１枚目の遊技メダルの投入時までの時間に応じて、前記投入スイッチによる遊技メダルの１枚目投入検知から２枚目投入検知までの間に行われる前記報知演出としての前兆報知演出、２枚目投入検知から３枚目投入検知までの間に行われる前記報知演出としての第１報知演出、３枚目投入検知から前記スタートスイッチ押下までの間に行われる前記報知演出としての第２報知演出、前記報知演出無しのうちいずれか１つを選択して実行可能としたことを特徴とするスロットマシン。
【請求項２】
前記演出選択手段は、前記計測手段の時計測に基づいて、前記スタートスイッチ押下後の第３報知演出をさらに選択して実行可能としたことを特徴とする請求項１記載のスロットマシン。
【請求項３】
遊技メダルを予め投入して所定枚数まで貯留することが可能なクレジット手段と、
前記クレジット手段に貯留した遊技メダルを、遊技開始の条件としての遊技メダルとして内部投入するためのベットスイッチとを備え、
前記計測手段は、前記ベットスイッチの操作による遊技メダルの投入検知も計測可能に形成されていることを特徴とする請求項１又は２記載のスロットマシン。
【発明の詳細な説明】
【技術分野】
【０００１】
この発明は、遊技メダルの投入に要する時間間隔に応じて、演出を選択可能なスロットマシンに関するものである。
【背景技術】
【０００２】
従来、この種のスロットマシンとしては、図柄の組み合わせにより構成される当選役を抽選により決定するための当選抽選手段を備えている。そして、抽選結果の報知演出が実施された場合や、抽選の結果、当選役の当選フラグが成立して、当選役の入賞図柄を入賞有効ライン上に停止させることができて、入賞した場合には、遊技者は当選抽選手段の抽選結果を知ることができるが、それら以外の場合は、遊技者は、かかる抽選結果を知ることができない。遊技者にしてみれば、入賞することはなかったが、何かの当選役の当選フラグが成立していたのか否かの情報を、それ以後の遊技に活用するため、入手したいと考える者が多い。特に、いわゆるビッグボーナスゲーム（ＢＢゲーム）のように、入賞することができないときには次の遊技に当選フラグ成立の権利を持ち越すことができる当選役の場合は、かかる情報はぜひ知りたいものである。また、持ち越さない当選役であっても、抽選結果の情報は、どのような当選役がどのような頻度で当選しているのかということを理解することができ、今後の遊技を進めるにあたって、重要なものとなり、情報として入手したいと考える遊技者は多い。
【０００３】
また、従来のスロットマシンにおいて、遊技開始の条件として、遊技メダルの投入を条件としている。そして、かかる遊技メダルの枚数により、入賞有効ライン数を変化させたり、あるいは、当選抽選手段の抽選確率を変化させることが行われている。
また、従来のスロットマシンでは、種々の演出が実施されているが、かかる演出内容は、主に抽選により変化させている。更に、従来のスロットマシンでは、遊技者の特定の操作時から別の特定の操作時までの時間によって演出を変化させるものがある（例えば、特許文献１。）。
【特許文献１】特開２００１−２１８８９１号公報
【発明の開示】
【発明が解決しようとする課題】
【０００４】
しかし、上記した従来のスロットマシンでは、前回以前の遊技の抽選結果に関する情報を遊技者は入手したいにも関わらず、入賞しなければ、入手することができないといった問題点があった。
そして、遊技メダルの投入枚数を、抽選確率等に反映させることはあっても、投入メダルの投入のタイミングや時間を演出に利用するものは無く、そのような遊技メダルの投入自体が、遊技性に絡むことはなく、遊技性に乏しいといった問題点があった。
そこで、各請求項にそれぞれ記載された各発明は、上記した従来の技術の有する問題点に鑑みてなされたものであり、その目的とするところは、次の点にある。
【０００５】
すなわち、請求項１記載の発明は、前回遊技の終了確定時から今回の遊技の１枚目の遊技メダルの投入検知までの時間により、演出を変更させることができて、１枚目の遊技メダルの投入タイミングに遊技性を絡めることができて、遊技性の幅を拡げることが可能なスロットマシンを提供しようとするものである。
また、請求項１記載の発明は、上記に加え、遊技メダルの１枚目投入以後から２枚目投入までに前兆報知演出を実施することができるようにしたスロットマシンを提供しようとするものである。
【０００７】
また、請求項３記載の発明は、上記した請求項１又は請求項２に記載の発明の目的に加え、ベットスイッチの押下操作に遊技性を絡めることができるようにしたスロットマシンを提供しようとするものである。
【課題を解決するための手段】
【０００８】
（請求項１）
（特徴点）  請求項１記載の発明は、次の点を特徴とする。すなわち、複数の図柄(61)を周囲に配置した回転リール(40)を有するリールユニット(60)と、前記リールユニット(60)の前記回転リール(40)の回転駆動を開始させるためのスタートスイッチ(30)と、前記リールユニット(60)の前記回転リール(40)の回転駆動を停止させるためのストップスイッチ(50)と、前記図柄(61)の組み合わせにより構成される当選役を抽選により決定するための当選抽選手段(110)と、所定の報知を行うための報知手段(66)と、前記当選抽選手段(110)の抽選結果に対応した停止制御を前記リールユニット(60)に対して行うための遊技制御手段(27)とを備え、所定枚数の遊技メダルの投入を条件として遊技が開始可能となり、前記当選抽選手段(110)の抽選結果、所定の前記当選役に当選することにより当選フラグが成立し、且つ前記リールユニット(60)が前記当選役に応じて予め定められた図柄表示の態様になることにより入賞となり所定枚数の遊技メダルの払い出しが実施可能となり、或いは前記図柄表示の態様にならないことにより外れとなって１回の遊技が終了するように設定されたスロットマシンにおいて、遊技の開始に先立って投入される遊技メダルの投入を検知する投入スイッチ(15)と、前回の遊技の終了確定時から、今回の遊技の１枚目の遊技メダルの投入を前記投入スイッチが検知するまでの時間を計測可能な計測手段(120)と、前記計測手段(120)が計測した時間に対応して、実行する演出を選択する演出選択手段(130)とを備え、前記演出として、前回の遊技の前記当選抽選手段の抽選結果を前記報知手段(66)により報知する報知演出を備え、前記演出選択手段(130)は、前記計測手段(120)が計測した時間に対応して、前記報知演出の有無を決定可能であるとともに、前記投入スイッチ(15)による遊技メダルの１枚目の投入検知後、前記報知演出を実行可能としたことを特徴とする。
【０００９】
また、ここで、「回転リール(40)」とあるのは、周囲に複数の図柄を表示したものが、実際に回転するようなものに限定されるものではなく、液晶画面に表示されるようなものも含まれるものである。具体的には、例えば、パチンコ機等の遊技盤面の中央に設けた液晶装置を使用することにより、周囲に複数の図柄を表示した回転リールが回転するような画像を当該液晶装置によって遊技者に向かって表示するものも含まれる。
また、ここで、「遊技メダル」とあるが、かかる円板状のメダルに限定されるものではなく、通常のコインでもよく、また、球状のボール球でもよく、また、スティック状のものでもよいものである。更に、遊技者に何らかの価値を付与するものであれば、特に特定の形状等のものに限定されるものではない。
【００１０】
また、ここで、「当選役」とは、予め定めた入賞態様の組み合わせを意味するものであって、具体的には、例えば、左、中、右の回転リール(23)の停止図柄が、それぞれ７、７、７となることにより、入賞可能となるような入賞態様の組み合わせを含むものである。
【００１１】
請求項１記載の発明は、前回の遊技の終了確定時から今回の遊技の１枚目の遊技メダルの投入検知までの時間に対応して、実行する演出を変更している。したがって、前回の遊技の終了確定時から今回の遊技の１枚目の遊技メダルの投入検知までの時間により、演出を変更させることができ、１枚目の遊技メダルの投入のタイミングと、演出との間に関連性を持たせることができ、１枚目の遊技メダルの投入のタイミング、すなわち１枚目の遊技メダルの投入動作に遊技性を絡めることができる。結果として、遊技性の幅を拡げることができる。
【００１２】
さらに請求項１記載の発明は、上記に加え、３枚の遊技メダルの投入を条件として遊技が開始可能となり、前記演出選択手段(130)は、前記計測手段(120)の時計測に基づく前回の遊技の終了確定時から今回の遊技の１枚目の遊技メダルの投入時までの時間に応じて、前記投入スイッチ(15)による遊技メダルの１枚目投入検知から２枚目投入検知までの間に行われる前記報知演出としての前兆報知演出、２枚目投入検知から３枚目投入検知までの間に行われる前記報知演出としての第１報知演出、３枚目投入検知から前記スタートスイッチ押下までの間に行われる前記報知演出としての第２報知演出、前記報知演出無しのうちいずれか１つを選択して実行可能としたことを特徴とする。
ここで、前兆報知演出は、前回以前の遊技の当選抽選手段の抽選結果ではなく、かかる抽選結果を報知するための前段階の前兆（きざし）としての演出に設定することができる。その際、この前兆報知演出を、遊技メダルの投入時間間隔や、前回以前の遊技の当選抽選手段の抽選結果に全く影響されずに変化しない演出に設定しても良い。
また、前兆報知演出を、前回以前の遊技の当選抽選手段の抽選結果を報知するものに設定して、前回遊技の終了確定時から、今回の遊技の１枚目の遊技メダルの投入時までの時間間隔に応じて、演出の有無や報知時期を決定するようにしても良い。
【００１３】
（請求項２）
（特徴点）  請求項２記載の発明は、上記した請求項１記載の発明の特徴点に加え、次の点を特徴とする。すなわち、前記演出選択手段(130)は、前記計測手段(120)の時計測に基づいて、前記スタートスイッチ押下後の第３報知演出をさらに選択して実行可能としたことを特徴とする。
【００１９】
（請求項３）
（特徴点）  請求項３記載の発明は、上記した請求項１又は請求項２に記載の発明の特徴点に加え、次の点を特徴とする。すなわち、遊技メダルを予め投入して所定枚数まで貯留することが可能なクレジット手段(140)と、前記クレジット手段(140)に貯留した遊技メダルを、遊技開始の条件としての遊技メダルとして内部投入するためのベットスイッチ(16)とを備え、前記計測手段(120)は、前記ベットスイッチ(16)の操作による遊技メダルの投入検知も計測可能に形成されていることを特徴とする。
なお、ベットスイッチ(16)が遊技者によって押下されている時間によって、予め設定された時間間隔に応じて、各報知演出や、演出無し等が選択されるように形成することができる。また、このベットスイッチ(16)の押下操作は、実際に押下された時間に関係なく、予め設定された固定の時間に設定して、その時間に対応する報知演出を実行するように設定しても良い。
【００２０】
（作用）  本発明は、ベットスイッチ(16)の操作による遊技メダルの投入検知も計測可能である。これにより、ベットスイッチ(16)の押下操作と、演出との間に関連性を持たせることができ、ベットスイッチ(16)の押下操作に遊技性を絡めることができる。結果として、遊技性の幅を拡げることができる。
【発明の効果】
【００２１】
本発明は、以上のように構成されているので、以下に記載されるような効果を奏する。
すなわち、請求項１記載の発明によれば、前回遊技の終了確定時から今回の遊技の１枚目の遊技メダルの投入検知までの時間により、演出を変更させることができて、１枚目の遊技メダルの投入タイミングに遊技性を絡めることができて、遊技性の幅を拡げることが可能なスロットマシンを提供することができる。
【００２３】
更に、請求項１記載の発明によれば、遊技メダルの１枚目投入以後から２枚目投入までに前兆報知演出を実施することができるようにしたスロットマシンを提供することができる。
また、請求項３記載の発明によれば、ベットスイッチの押下操作に遊技性を絡めることができるようにしたスロットマシンを提供することができる。
【発明を実施するための最良の形態】
【００２４】
（第１の実施の形態）
（図面の説明）  図１乃至図１２（ａ）は、本発明の第１の実施の形態を示すものである。図１はスロットマシンの入力、制御及び出力のブロック図、図２（ａ）は遊技制御手段のブロック図、図２（ｂ）は当選抽選手段のブロック図、図３はスロットマシンの外観正面図、図４から図９まではスロットマシンの通常遊技の動作の概略のフロー、図１０（ａ）は前兆報知演出処理で使用する時間対報知演出テーブル、図１０（ｂ）は第１報知演出処理で使用する時間対報知演出テーブル、図１１は第２報知演出処理で使用する時間対報知演出テーブル、図１２（ａ）は第３報知演出処理で使用する時間対報知演出テーブルをそれぞれ示すものである。
【００２５】
（スロットマシン10）  本実施の形態に係る遊技機としてのスロットマシン10は、正面に向かって開口する正面開口部を有する四角箱状の筐体11を有する。この筐体11の正面開口部の向かって左縁側には、筐体11の正面開口部を開閉自在に塞ぐ前扉14がヒンジにより軸支されている。前記前扉14の中央部から上部には、遊技者側に向かって臨む略四角窓状の表示窓12が形成されている。そして、この表示窓12の略中央には、三個の回転リール40の図柄61、いわゆる停止図柄61を見ることができる図柄表示窓13が形成されている。そして、前扉14の下部には、入賞した場合に、賞品としての遊技媒体が払い出される払い出し口32が形成されている。そして、この払い出し口32の下方には、払い出し口32から払い出された遊技媒体を貯留するための上方に向かって開口する皿状の払い出し皿33が形成されている。
【００２６】
前記回転リール40は、図３の向かって左端側に位置する左側回転リール43と、図３の向かって右端側に位置する右側回転リール45と、この左側回転リール43及び右側回転リール45の間に位置する中央回転リール44とからなるものである。そして、スロットマシン10の前面側には、特に図示しないが、横方向に三本、左右の対角線上の斜め方向に二本の合計五本の入賞ラインが形成されている。そして、この入賞ラインは、投入メダルの枚数に応じて入賞が有効になる入賞有効ラインとなるものである。具体的には、遊技メダルの投入枚数が、１枚の場合、五本の入賞ラインのうち、横中央の一本が入賞有効ラインとなる。そして、遊技メダルの投入枚数が、２枚の場合、五本の入賞ラインのうち、横方向の三本が入賞有効ラインとなる。そして、遊技メダルの投入枚数が、３枚の場合、対角線も含めた五本の入賞ラインの全部が、入賞有効ラインとなる。
【００２７】
スロットマシン10の内部には、図示していないが、スロットマシン10の全体の動作を制御するための制御装置20（図１参照）が内蔵されている。
なお、ここで、「前面」や「前方向」や「手前方向」とは、交換作業者（或いは遊技者）が、スロットマシン10の正面側の前にスロットマシン10の方に顔を向けて座って、或いは、立っているような場合のかかる交換作業者（或いは遊技者）から見た場合の奥から手前への方向を意味する。したがって、前方向や手前方向とは、スロットマシン10の奥から正面へ向かう方向を意味する。
また、「背面」や「後方向」や「奥方向」とは、交換作業者（或いは遊技者）が、スロットマシン10の正面側にスロットマシン10の方を向いて位置しているような場合のかかる交換作業者（或いは遊技者）から見たときの手前から奥への方向を意味する。したがって、後方向とは、スロットマシン10の正面から奥（後ろ）へ向かう方向を意味する。また、本明細書における「左方向」や「右方向」等の左右方向も、かかるスロットマシン10の前面の方を向いて位置している者から見た場合の右方向や、左方向を意味する。
【００２８】
（制御装置20）  前記制御装置20は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、次の（１）遊技制御装置21及び（２）演出制御装置22の装置を有するものである。
図１に示すように、スタートスイッチ30及びストップスイッチ50の操作により、回転リール40の回転及び停止を制御するための遊技制御装置21と、ランプやスピーカー等の報知手段66を制御するための演出制御装置22とが内蔵されている。また、ＣＰＵは、遊技制御装置21及び演出制御装置22に、それぞれ一個ずつ配置されているが、特にこれに限定されるものではなく、一個のＣＰＵで制御しても良く、或いは、二個以上のＣＰＵで制御するようにしても良いものである。また、ＣＰＵ、ＲＯＭ、ＲＡＭ及びＩ／Ｏ等は一体化されてワンチップを構成しても良いものである。
【００２９】
（遊技制御装置21）  前記遊技制御装置21は、スタートスイッチ30及びストップスイッチ50の遊技者による操作により、回転リール40の回転及び停止を制御するためのものである。この遊技制御装置21は、次の手段として機能する。
（１）遊技制御手段27（通常遊技制御手段70、特別遊技制御手段80）
（２）当選抽選手段110
（３）計測手段120
（４）演出選択手段130
（５）クレジット手段140
なお、本スロットマシンにより行う遊技は、通常に行われる通常遊技と、この通常遊技よりも遊技者に大きな利益を付与可能な特別遊技とを備えている。
【００３０】
そして、前記通常遊技制御手段70は、通常遊技を行わせるために通常遊技に関する制御を行うものであり、前記特別遊技制御手段80は、特別遊技を行わせるために特別遊技に関する制御を行うものである。
また、遊技制御装置21としては、上記した手段に限定されるものではなく、他の手段を含んでいても良い。
（演出制御装置22）  前記演出制御装置22は、主として演出データに関するものであって、報知ランプ69やスピーカー67等の報知手段66を制御するためのものである。そして、遊技制御装置21の内部データの信頼性を担保するため、遊技制御装置21と演出制御装置22との間での信号のやりとりは、一方通行となるように設定されている。すなわち、遊技制御装置21から、演出制御装置22に向かって出力信号のみが送出され、この演出制御装置22から遊技制御装置21に向かっていかなる信号も送出されないように設定されている。これにより、当選率等の抽選に関するデータを有する遊技制御装置21のデータ保護を容易なものにすることができる。
【００３１】
そして、この演出制御装置22は、次の手段として機能する。
（１）演出データ記憶手段25
（２）演出制御手段26
また、演出制御装置22としては、上記した手段に限定されるものではなく、他の手段を含んでいても良い。
前記制御装置20の入力側には、主として制御装置20に信号を送る入力手段が配置され、前記制御装置20の出力側には、主として制御装置20からの信号が送り込まれる出力手段が配置されている。
【００３２】
（入力手段）  前記制御装置20の入力側には、図１に示すように、次のパーツが接続されている。
（１）投入スイッチ15
（２）ベットスイッチ16
（３）精算スイッチ17
（４）スタートスイッチ30（変動表示開始手段31）
（５）ストップスイッチ50（変動表示停止手段51）
なお、入力手段としては、上記した（１）乃至（５）のパーツに限定されるものではない。
【００３３】
（出力手段）  前記制御装置20の出力側には、図１に示すように、次のパーツが接続されている。
（１）リールユニット60
（２）貯留払い出し手段65
（３）報知手段66（報知ランプ69、スピーカー67及び表示装置68）
なお、出力手段としては、上記した（１）乃至（３）のパーツに限定されるものではない。
（投入スイッチ15）  前記投入スイッチ15は、図３に示すように、回転リール40の斜め下方に位置するスイッチであって、遊技メダルのメダル投入口18から投入された遊技メダルを検知するためのものである。
【００３４】
（ベットスイッチ16）  前記ベットスイッチ16は、図３に示すように、回転リール40の下方に位置するスイッチであって、遊技者により予め投入されてスロットマシン内部に貯留した貯留メダル数を減じてメダル投入に代えるためのものである。
（精算スイッチ17）  前記精算スイッチ17は、図３に示すように、回転リール40の斜め下方に位置するスイッチであって、貯留した投入メダルを払い出すためのものである。
（スタートスイッチ30）  前記スタートスイッチ30は、前記図柄表示手段41としての回転リール40の回転停止表示を回転変動表示へ移行させるために遊技者により変動開始操作が可能な変動表示開始手段31変動表示開始手段31である。このスタートスイッチ30は、図３に示すように、回転リール40の斜め下方に位置するレバーであって、遊技メダルの投入若しくはベットスイッチ16の投入を条件に、または、「再遊技（リプレイ、Replay）」時には前遊技から所定時間経過を条件に、リールユニット60の駆動を開始させるためのものである。
【００３５】
なお、ここで、「再遊技（リプレイ、Replay）」とは、当選抽選手段110の抽選により、「再遊技（リプレイ、Replay）」のフラグが成立し、「再遊技（リプレイ、Replay）」の図柄が入賞有効ライン上に揃うことにより、次の遊技において、遊技メダルを新たに投入することなく、再度、遊技を行うことができるものである。
（ストップスイッチ50）  前記ストップスイッチ50は、前記図柄表示手段の回転変動表示を回転停止表示へ移行させるために遊技者により複数個の前記図柄表示手段を別個独立に停止操作が可能な変動表示停止手段51であって、リールユニット60の駆動モーターの回転を停止させるためのものである。具体的には、ストップスイッチ50は、図３に示すように、各回転リール40に対応した三個のスイッチから構成され、各回転リール40の下方に１個ずつ配置されているものである。遊技者が回転リール40に対応したストップスイッチ50を指で押す又は触れる等の停止操作により、当該対応した回転リール40が回転を停止するように設定されているものである。
（リールユニット60（モータードライバ62、駆動モーター63））  前記リールユニット60は、複数の配列された図柄を回転変動表示又は回転停止表示するための複数個の図柄表示手段41を備えているものである。この図柄表示手段41は、２１個の図柄を周囲に均等に配列した筒状の回転リール40を有している。すなわち、リールユニット60には、３個の駆動モーター63が、基体としての枠体に固定或いは支持されている。そして、各々の駆動モーター63の回転駆動軸には、三個の回転リール40の回転中心軸が固定されている。そして、各回転リール40は、合成樹脂からなる回転ドラムと、この回転ドラムの周囲に貼付されるテープ状のリールテープ42とを備えている。このリールテープ42の外周面には、複数個（２１個）の図柄61が表示されている。そして、回転リール40の一部に、突出している突出片状のいわゆるスタートインデックスが形成してある。そして、駆動モーター63による回転を開始した後、前記スタートインデックスを光センサー等により検知してからの回転角度を認識することで、現在位置を特定し、その後、所定角度で停止させることによって、停止制御が行われるものである。この光センサーは、全体形状が、略コ字状であって、一端に発光素子（ＬＥＤ）が配置され、他端に受光素子（フォトトランジスタ）が配置され、そのコ字状の内部を、突出片状のスタートインデックスが移動することにより、発光素子からの光が遮断され、スタートインデックスの位置を検知可能なものである。
【００３６】
以下、具体的に説明すると、この回転リール40の外周表面の２１個の図柄61には、各図柄61の表示位置により異なる図柄番号が付与されている。そして、この回転リール40の回転駆動軸には、回転リール40を回転駆動させるための回転駆動源である駆動モーター63としてのステッピングモーター64が固定されている。このステッピングモーター64は、リールユニット60の基体である枠体に固定されて所定の回転角度だけ回転リール40を回転させるための回転駆動力を発生するものである。このリールユニット60には、このステッピングモーター64を回転駆動させるためのモータードライバ62が形成されている。このモータードライバ62には、遊技制御装置21からの制御信号としてのパルス信号が入力されることにより、ステッピングモーター64を回転駆動させる駆動電力を供給するためのものである。
【００３７】
（貯留払い出し手段65）  前記貯留払い出し手段65は、いわゆるホッパーユニットであって、図示しないが、投入された遊技媒体を貯留することができるとともに、入賞した場合に、遊技者に向かって所定数の遊技媒体としての遊技メダルを払い出すためのものである。
（報知手段66）  前記報知手段66は、前回以前の遊技の当選抽選手段110の抽選結果を報知するためのものである。この報知手段66は、前回以前の遊技の当選抽選手段110の抽選結果を、前回以前の遊技の入賞の有無に拘わらず、具体的に当選した当選役の種類や、あるいは外れを、今回の遊技において報知することができるものである。
【００３８】
ここで、前回以前の遊技の当選抽選手段110の抽選結果とは、前回、前々回、あるいは、それ以前の遊技で当選した小役、リプレイ、ＢＢゲーム、ＲＢゲーム等の当選役の抽選結果を報知するものである。本形態では、前回以前の入賞せずに持ち越されたＢＢゲーム又はＲＢゲームからなるボーナスゲームの当選フラグ成立を報知するものである。なお、ここで、「前回以前の遊技の抽選結果」を、前回、前々回、あるいは、それ以前の特定回数或いは特定回数範囲内の遊技の抽選結果に特定しても良いものである。また、小役、リプレイ、ＢＢゲーム、ＲＢゲーム等の当選役の抽選結果の全てを報知するものでも良い。更に、小役、リプレイ、ＢＢゲーム、ＲＢゲーム等の当選役の抽選結果のうち、いずれか１つ、あるいは、特定の組み合わせに限定しても良いものである。
【００３９】
具体的には、報知手段66は、筐体11に埋め込まれた左右のスピーカー67と、表示窓12の上部中央に配置された液晶表示装置からなる表示装置68と、表示窓12の周囲縁に配置された５個の報知ランプ69とを備えているものである。
更に、前記報知手段66は、遊技者に当選や入賞等を音や光や映像で報知させることができる。この報知手段66は、演出制御装置22の制御により、当選時や入賞時にスピーカー67から当選音や入賞音を発生させ、報知ランプ69を点灯又は点滅させることにより、また、表示装置68に図柄模様や文字列を点灯表示させることにより、遊技者に当選や入賞等を報知させることができる。
【００４０】
（遊技制御手段27）  前記遊技制御手段27は、遊技を行わせるためのものであって、当選抽選手段110の抽選結果に対応した停止制御を図柄表示手段41に対して行うためのものである。具体的には、遊技制御手段27は、通常遊技の制御を行う通常遊技制御手段70と、特別遊技の制御を行う特別遊技制御手段80とを備えている。
なお、ここで、遊技制御手段27が行わせる遊技は、遊技メダルの投入を条件として遊技が開始可能となり、当選抽選手段の抽選結果、所定の当選役に当選し、且つ遊技状況が当選役に応じて予め定められた図柄表示の態様になること（当選役に対応する図柄が入賞有効ライン上に揃うこと）により入賞となり、或いは、かかる図柄表示の態様にならないこと（当選役に対応する図柄が入賞有効ライン上に揃わないこと）により外れとなって１回の遊技が終了するように設定されている。
【００４１】
（通常遊技制御手段70）  前記通常遊技制御手段70は、通常遊技を行わせるためのものである。
すなわち、メダルの投入若しくはベットスイッチ16の投入を条件に、または、「再遊技（リプレイ、Replay）」時には前遊技から所定時間経過を条件に、スタートスイッチ30を操作すると、リールユニット60が駆動され、三個の回転リール40が回転を開始する。その後、ストップスイッチ50の一個を操作すると、当該対応する回転リール40の回転が停止する。そして、ストップスイッチ50を三個全て操作し終わると、三個の回転リール40の回転が全て停止する。このとき、表示窓12の入賞有効ライン上に、予め設定された図柄61が停止すると、ホッパーユニット65を介して所定枚数のメダルが払い出される。なお、メダルを払い出す代わりに、クレジットしても良い。
【００４２】
当選には、入賞した場合、遊技メダルの払い出しを伴い、遊技者に利益を付与する小役当選（この小役当選が入賞した場合は小役入賞となる）と、入賞した場合、この小役当選よりもさらに大きな利益を遊技者に付与する特別当選（この特別当選が入賞した場合は特別入賞となる）と、入賞した場合、遊技メダルの払い出しは無いが、遊技メダルを新たに投入することなく再度の遊技を行うことができる「再遊技（リプレイ、Replay）当選」（この再遊技当選が入賞した場合は再遊技入賞となる）の当選とを備えている。そして、その抽選結果がいずれかの当選となった場合（内部入賞とも言う。）、その当選に対応した当選フラグが成立する。
【００４３】
ここで、「フラグ」とは、当選抽選手段110の抽選結果が所定の当選役に当選の場合に、当選であることを記憶しておくためのメモリーであり、小役当選の場合には、小役当選フラグを成立させ、抽選結果が特別当選である場合には特別当選フラグを成立させるものである。そして、この特別当選の当選フラグ成立中に、リールユニット60の回転リール40の停止図柄61の組み合わせが、予め定められた所定の当選図柄61（例えば、入賞有効ライン上に「７」が三個揃うもの）と一致したことを条件に入賞し、遊技者に有利な特別遊技を行わせるように形成されている。そして、抽選により特別当選フラグが成立したが、回転リール40の停止図柄61の組み合わせが当選図柄61と一致していない場合、それ以後の遊技に当選フラグ成立の権利が持ち越されるように設定されている。なお、小役当選の当選フラグは、当選フラグが成立した遊技で入賞させられない場合、当選フラグ成立の権利の次の遊技への持ち越しはない。
【００４４】
（蹴飛ばし設定と、引き込み設定）  前記回転リール40の回転及び停止を制御する停止制御として、入賞図柄の組み合わせを遊技者がストップスイッチ50を操作して所定位置に停止させようとしても、回転リール40が回転して、かかる当選図柄が所定位置に揃わないように設定した蹴飛ばし設定と、ストップスイッチ50を操作した状態から所定の図柄数だけ回転リール40の回転上流側に位置する引き込み可能図柄の中に、当選フラグ成立中の当選図柄が含まれているような場合に、当選図柄を所定位置にまで引き込んで停止するように設定した引き込み設定とを備えている。
また、いずれかの当選フラグが成立中に、対応する当選図柄61を入賞有効ライン上に揃えることができるか否かは、回転リール40の回転速度が一定の場合、ストップスイッチ50のタイミングによるものである。具体的には、ストップスイッチ50を操作した後、１９０ｍｓ以内に回転リール40が停止するように設定されているため、ストップスイッチ50を操作した後、そのまま停止させるか、或いは１９０ｍｓ以内に停止可能な回転リール40の円周上の引き込み可能図柄61、例えば停止位置の図柄の上の図柄から連続する４個の引き込み可能図柄61の中、すなわち停止位置の図柄も含めて全部で５個の図柄中に、対応する当選図柄61が含まれているような場合には、停止するまでの時間を遅らせて、回転リール40は入賞有効ライン上にその当選図柄61を引き込んで停止する。一方、停止位置の図柄及びかかる４個の引き込み可能図柄61の中、すなわち全部で５個の図柄中に、対応する当選図柄61が含まれていないような場合には、入賞有効ライン上にその当選図柄61を引き込んで停止することができない。また、いずれの当選フラグも成立していない場合には、入賞図柄の入賞確定は不可能となるように設定されている。すなわち、いずれの当選フラグも成立していない場合には、蹴飛ばし設定により、入賞図柄が、所定の入賞有効ライン上に揃わないような位置に停止する、いわゆる蹴飛ばされる。
【００４５】
本形態では、停止制御として、上述したような条件判断停止制御を使用しているが、特にこれに限定されるものではなく、停止制御として、停止テーブルを使用しても良い。これは、いずれかの当選フラグが成立中に、対応する当選図柄61を入賞有効ライン上に揃えることができるか否かは、選択した停止テーブル上に予め記載されている２１個の図柄に対応する各停止操作位置（Ｎｏ０〜Ｎｏ２０）でのすべりコマ数により決定されるものである。例えば、左側回転リール43、中央回転リール44及び右側回転リール45の入賞有効ライン上の図柄が順にセブン、セブン、セブンと停止することにより、ＢＢゲームに入賞するように設定されている。そして、かかるＢＢゲームの当選フラグが成立している場合に、右側回転リール45での基準位置での停止操作位置がＮｏ６であるとき、選択された停止テーブルのＮｏ６の位置から３コマ後にセブンが位置して、そのＮｏ６の位置のすべりコマ数には３が予め設定されているとする。かかる場合、その基準位置には、Ｎｏ６の図柄から３コマだけ回転移動してセブンの当選図柄が停止することとなるものである。このように、停止テーブルには、各停止操作位置でのすべりコマ数が予め設定されている。そして、ＢＢゲームの当選の場合の停止テーブルのように、各当選役が当選しているときの停止テーブルや、ハズレの場合の停止テーブルが予め用意されてあり、当選抽選手段110の抽選結果によって、所定の停止テーブルが選択されるものである。
【００４６】
なお、ここで、「当選役」とは、各回転リール40で予め定めた入賞図柄の組み合わせを意味するものであって、入賞となる入賞態様の総称を意味するものである。具体的には、当選役とは、例えば、左、中、右の回転リール40の所定の入賞有効ライン上の停止図柄が、それぞれセブン、セブン、セブンとなることにより、入賞となるような入賞図柄の組み合わせ（入賞態様）を意味するものである。
（特別遊技制御手段80）  前記特別遊技制御手段80は、抽選手段の抽選結果に基づいて、通常遊技よりも遊技者に大きな利益を付与することができて、遊技者に有利な特別遊技を行わせるためのものである。前記特別遊技としては、大別すると、次のゲームがある。なお、当選していない当選役が入賞しないように不当入賞を回避するための蹴飛ばし設定や、ストップスイッチ50の操作タイミングにおける所定の位置の図柄の上から４図柄（当該図柄を含めると５図柄）の所定範囲の引き込み範囲から、引き込み可能な引き込み設定を有しているのは、通常遊技制御手段70で説明したものと同様である。
【００４７】
（１）特定導入遊技（ＢＢゲーム）
（２）特定遊技（ＲＢゲーム）
（３）特定当選遊技（ＪＡＣゲーム）
なお、特定遊技、いわゆるＲＢゲームは、特定導入遊技、いわゆるＢＢゲーム中に、所定の条件の範囲内（具体的には、所定の獲得遊技メダル枚数の範囲内）で入賞した場合には何回でも行われるように設定されている。もちろん、特にこれに限定されるものではなく、ＢＢゲーム中で無い場合にも単独でも行われるように設定しても良いものである。また、前記特定当選遊技、いわゆるＪＡＣゲームは、ＲＢゲーム中に行われるものである。また、特別遊技としては、前記した（１）から（３）までの遊技に限定されるものではない。具体的には、通常遊技において、図示しないが、「７」の図柄61が入賞有効ライン上に三個揃うと、ＢＢゲームが開始される。
【００４８】
そして、特別遊技制御手段80は、図１に示すように、大別すると、次の手段を備える。
（１）特定導入遊技制御手段91（ＢＢゲーム制御手段90）
（２）特定遊技制御手段101（ＲＢゲーム制御手段100）
（特定導入遊技制御手段91）
前記特定導入遊技制御手段91は、ＢＢゲームを制御するためのＢＢゲーム制御手段90である。
具体的には、ＢＢゲームに移行すると、通常遊技と同様のＢＢ中小役遊技が、最大３枚のメダルの投入によって開始され、３つの回転リール40の回転を各々停止させた際に、入賞有効ライン上に当選図柄が揃っているか否かによって、メダルの払い出しが行われるものである。
【００４９】
したがって、ＢＢゲーム中のＢＢ中小役遊技では、通常遊技と同様に小役を含めた抽選が毎回行われるものである。ただ、このＢＢゲーム中にＲＢゲームに移行するための当選図柄が入賞有効ライン上に揃った場合には、その後ＲＢゲームに移行するものである。
なお、ＢＢゲーム中はＲＢゲームへの移行が、所定獲得枚数までは何回でも行われることになっているために、１回目のＲＢゲームが終了した後は、また前述したような通常遊技と同様なＢＢ中小役遊技の抽選及び制御が行われるものである。
そして、ＢＢゲームでは、ＢＢゲーム中の獲得遊技メダル枚数が、予め定めた特定枚数を超えるまでは、ＢＢゲーム中のＲＢゲームを何回でも行うことができるように設定されている。そして、ＢＢゲーム中の獲得遊技メダル枚数が特定枚数を超えたときに、当該ＢＢゲームは終了するものである。もちろん、終了条件はこれに限定されるものではなく、例えば、ＢＢゲーム中のＲＢゲームが所定の最大回数、例えば３回か、或いはＢＢゲーム中のＢＢ中小役遊技が所定の最大回数、例えば最大３０回の終了により、ＢＢゲームは終了するように設定しても良い。また、かかる場合のＢＢゲーム中のＲＢゲームや、ＢＢ中小役遊技の最大回数は、上述したものに限定されるものではなく、スロットマシン10の種類の違いにより、他の回数（例えば、ＲＢゲームの最大回数が２回）に設定されているものでも良い。
【００５０】
（特定遊技制御手段101）  前記特定遊技制御手段101は、ＲＢゲームを制御するためのものである。具体的には、ＲＢゲームに移行すると、メダルが１枚投入となり、回転リール40の所定の図柄61が表示窓12のセンターライン上に揃った場合に入賞となる特定当選遊技（いわゆるＪＡＣゲーム）が行われるものである。そして、ＲＢゲームでは、当選するか否かの特定当選遊技（いわゆるＪＡＣゲーム）が最大１２回行えるものであり、そのうち、最大８回の入賞が可能である。すなわち、最大８回の入賞となるか、或いは最大１２回の特定当選遊技（いわゆるＪＡＣゲーム）の終了により、ＲＢゲームは終了するものである。もちろん、終了条件は、これに限定されるものではなく、予め定めた特定の獲得遊技メダル枚数に到達することにより終了するように設定しても良い。
【００５１】
（当選抽選手段110）  前記当選抽選手段110は、予め定めた当選率に基づいて当選か否かの当選判定の抽選を行うものである。そして、当選抽選手段110による抽選結果が当選である場合（内部入賞とも言う。）に当選フラグが成立し、この当選フラグ成立中に、回転リール40の停止図柄の組み合わせが予め定められた当選図柄と一致したことを条件に入賞し、遊技者にメダルの払い出しや、特別遊技等の利益が付与されるように設定されている。
前記当選抽選手段110は、図１に示すように、大別すると、次の手段を備える。
（１）当選乱数発生手段111
（２）当選乱数抽出手段112
（３）当選判定テーブル記憶手段113
（４）当選判定手段114
なお、当選抽選手段110としては、上記した（１）乃至（４）に限定されるものではない。
【００５２】
（当選乱数発生手段111）  前記当選乱数発生手段111は、抽選用の乱数を所定の領域内（十進数で０乃至６５５３５）で発生させるものである。この当選乱数発生手段111は、一定範囲の数字を高速で１ずつ加算するカウンタを用いて構成するものであって、０乃至６５５３５の範囲の数字を、１秒間に数百万回程度順次繰り返すようにしたカウンタである。そして、「当選乱数抽出手段」としては、スタートスイッチを押したタイミングでカウンタの数字を読みとるものである。これは、「当選乱数発生手段」では乱数を発生しているわけではないものの、「当選乱数抽出手段」によって抽出される数字は、あたかも乱数のような分布となるものである。
【００５３】
なお、ここで、「当選乱数発生手段」には、ソフト乱数としての平均採中法（ｎ桁の数字を２乗して中央のｎ桁の数を取り出すことの繰り返しによる乱数発生方法）等で乱数を発生させることができるものでも良い。このように結果として乱数のような分布を示す数字が得られる手段を、ここでは、「当選乱数発生手段」或いは「当選乱数抽出手段」に含めて考えるものである。
（当選乱数抽出手段112）  前記当選乱数抽出手段112は、当選乱数発生手段111が発生する乱数を、所定の条件（具体的には、スタートスイッチ30の操作）で抽出するものである。なお、この抽出した乱数を抽出乱数データとする。
【００５４】
（当選判定テーブル記憶手段113）  前記当選判定テーブル記憶手段113は、当選乱数発生手段111がとる乱数の全領域中、各当選項目の当選領域を有するものである。この当選判定テーブル記憶手段113は、異なる抽選確率を記憶した複数のものが形成されている。具体的には、当選判定テーブル記憶手段113は、第１設定当選判定テーブルと、第２設定当選判定テーブルと、第３設定当選判定テーブルと、第４設定当選判定テーブルと、第５設定当選判定テーブルと、第６設定当選判定テーブルとを備えているものである。この第１〜６設定当選判定テーブルは、それぞれ異なる抽選確率が記録されてあり、いわゆるスロットマシンの１から６までの「設定」を決めるものであって、第１設定当選判定テーブルから第６設定当選判定テーブルまで、順に、抽選確率が高くなるように設定されている。
【００５５】
（当選判定手段114）  前記当選判定手段114は、当選乱数抽出手段112が抽出した抽出乱数データと、当選判定テーブル記憶手段113の当選率データを基に当選乱数発生手段111がとる乱数の全領域中の各当選項目の当選領域からなる当選判定領域データとを照合し、当該抽出乱数データが属する当選領域に対応する当選を決定するものである。
（計測手段120）  前記計測手段120は、１回の遊技において、投入スイッチ15による遊技メダルの投入検知から、それ以後の遊技メダルの投入検知までの時間を計測可能なものである。更に、計測手段120は、前回の遊技の終了確定時から、今回の遊技の１枚目の遊技メダルの投入検知までの時間を計測可能なものである。
【００５６】
具体的には、前記計測手段120は、１回の遊技において、投入スイッチ15による遊技メダルの１枚目の投入検知から、遊技メダルの２枚目の投入検知までの時間を計測値Ａとして計測する。
前記計測手段120は、１回の遊技において、投入スイッチ15による遊技メダルの２枚目の投入検知から、遊技メダルの３枚目の投入検知までの時間を計測値Ｂとして計測する。
前記計測手段120は、１回の遊技において、投入スイッチ15による遊技メダルの１枚目の投入検知から、遊技メダルの３枚目の投入検知までの時間を計測値Ｃとして計測する。
前記計測手段120は、前回の遊技の終了確定時から、今回の遊技の１枚目の遊技メダルの投入時までの時間を計測値Ｄとして計測する。
【００５７】
（演出選択手段130）  前記演出選択手段130は、計測手段120が計測した時間に対応して、実行する演出を変更させるためのものである。具体的には、前記演出選択手段130は、計測手段120が計測した時間に対応して、実行する演出を選択するためのものである。すなわち、演出選択手段130は、計測手段120が計測した時間に対応して、異なる演出内容からなる複数の演出のうちから、１つの演出（演出内容）を、実行する演出として選択することにより、実行する演出を変更させることができるものである。
この演出選択手段130は、前回の遊技の終了確定時から今回の遊技の１枚目の遊技メダルの投入時までの時間間隔、又は、今回の遊技での遊技メダルの投入に要する時間間隔に応じて、遊技メダルの１枚目投入から２枚目投入までの間の前兆報知演出、報知手段66による２枚目投入から３枚目投入までの間の第１報知演出、３枚目投入から前記スタートスイッチ30押下までの間の第２報知演出、前記スタートスイッチ30押下後の第３報知演出、報知手段66による報知演出無しのうちいずれか１つを選択して実行可能に形成されているものである。
【００５８】
具体的には、演出選択手段130は、前回の遊技の終了確定時から今回の遊技の１枚目の遊技メダルの投入時までの時間に応じて、遊技メダルの１枚目投入から２枚目投入までの間の前兆報知演出、報知手段66による２枚目投入から３枚目投入までの間の第１報知演出、３枚目投入から前記スタートスイッチ30押下までの間の第２報知演出、前記スタートスイッチ30押下後の第３報知演出、報知手段66による報知演出無しのうちいずれか１つを選択している。
更に、演出選択手段130は、投入スイッチによる遊技メダルの投入検知から、それ以後の遊技メダルの投入検知までの時間に応じて、報知手段66による２枚目投入から３枚目投入までの間の第１報知演出、３枚目投入から前記スタートスイッチ30押下までの間の第２報知演出、前記スタートスイッチ30押下後の第３報知演出、報知手段66による報知演出無しのうちいずれか１つを選択している。
【００５９】
この前兆報知演出と、第１報知演出と、第２報知演出と、第３報知演出とは、結果として、前回以前の遊技の抽選結果を報知する演出であるが、報知する仕方や画面や音は、それぞれ異なるものであり、演出内容は、それぞれ異なるように形成されている。更に、この前兆報知演出と、第１報知演出と、第２報知演出と、第３報知演出とは、演出を開始するタイミングや、開始時期や、実行時間も、それぞれ異なるように形成されている。なお、本実施の形態では、演出内容と、演出時期との両方を選択して変更するようにしているが、必ずしも、両方を変更させる必要はない。例えば、演出時期は、変更させずに、例えば、２枚目の遊技メダル投入の後のように、同一時期に固定して、演出内容だけを、複数の演出内容が異なる演出ａ、ｂ、ｃ、ｄのうちから選択するようにして、変更するように設定しても良い。なお、演出時期を同一にして、演出内容だけを変更する内容の詳細は、後述する第３の実施の形態で説明する。
【００６０】
また、前兆報知演出を、前回以前の遊技の抽選結果とは関連性がない演出にしても良い。
演出選択手段130は、所定の契機時に使用する複数の時間対報知演出テーブルを備え、この時間対報知演出テーブルにより、実行する演出を選択するものである。この時間対報知演出テーブルは、遊技メダルの投入間隔により決定される計測値Ａ，Ｂ，Ｃ，Ｄに基づいて、予め設定した報知演出が選択される。具体的には、前回遊技の抽選結果の報知演出の演出時期や、報知演出の有無が決定されるものである。
具体的には、後述する図５に示すステップ１１８の前兆報知演出処理、ステップ１２２の第１報知演出処理、ステップ１２６の第２報知演出処理、ステップ１２８の第３報知演出処理において、各計測値に基づいたいずれか１つの演出の選択や、あるいは報知演出を選択せずが決定される。そして、最も早く選択されたいずれか１つの報知演出が、実行する演出として決定される。そして、１つの報知演出が選択された以後は、報知演出は選択されないように形成されている。これは、後述する図６のステップ２２０、図７（ａ）のステップ２３０、図７（ｂ）のステップ２４０により担保されるものであり、これにより、例えば、第２報知演出と、第３報知演出とからなる異なる演出（演出内容）が、同一遊技で、選択されないように形成されている。
【００６１】
図１０（ａ）は、前兆報知演出処理で使用する時間（計測値Ｄ）対報知演出テーブルであって、計測手段120により、前回の遊技の終了確定時から、今回の遊技の１枚目の遊技メダルの投入検知までに計測された時間間隔である計測値Ｄに基づいて、報知演出が設定されている。
ここで、演出選択手段130は、前回の遊技の終了確定時から今回の遊技の１枚目の遊技メダルの投入時までの時間（計測値Ｄ）に応じて、遊技メダルの１枚目投入から２枚目投入までの間の前兆報知演出、報知手段66による２枚目投入から３枚目投入までの間の第１報知演出、３枚目投入からスタートスイッチ30押下までの間の第２報知演出、スタートスイッチ30押下後の第３報知演出、報知手段66による報知演出無しのうちいずれか１つを選択している。
【００６２】
具体的には、計測値Ｄが、ｐ１（秒）以下の場合は、報知演出が選択されず、計測値Ｄが、ｐ１（秒）を超えて、ｐ２（秒）以下の場合は、前兆報知演出が選択され、計測値Ｄが、ｐ２（秒）を超えて、ｐ３（秒）以下の場合は、第１報知演出が選択され、計測値Ｄが、ｐ３（秒）を超えて、ｐ４（秒）以下の場合は、第２報知演出が選択され、計測値Ｄが、ｐ４（秒）を超えて、ｐ５（秒）以下の場合は、第３報知演出が選択され、計測値Ｄが、ｐ５（秒）を超える場合は、報知演出が選択されない。
図１０（ｂ）は、第１報知演出処理で使用する時間（計測値Ａ）対報知演出テーブルであって、計測手段120により、今回の遊技の１枚目の遊技メダルの投入検知から、今回の遊技の２枚目の遊技メダルの投入検知までに計測された時間間隔である計測値Ａに基づいて、報知演出が設定されている。
【００６３】
ここで、演出選択手段130は、今回の遊技の１枚目の遊技メダルの投入検知から、今回の遊技の２枚目の遊技メダルの投入検知までに計測された時間間隔である計測値Ａに応じて、報知手段66による２枚目投入から３枚目投入までの間の第１報知演出、３枚目投入からスタートスイッチ30押下までの間の第２報知演出、スタートスイッチ30押下後の第３報知演出、報知手段66による報知演出無しのうちいずれか１つを選択している。
具体的には、計測値Ａが、ｒ１（秒）以下の場合は、報知演出が選択されず、計測値Ａが、ｒ１（秒）を超えて、ｒ２（秒）以下の場合は、第１報知演出が選択され、計測値Ａが、ｒ２（秒）を超えて、ｒ３（秒）以下の場合は、第２報知演出が選択され、計測値Ａが、ｒ３（秒）を超えて、ｒ４（秒）以下の場合は、第３報知演出が選択され、計測値Ａが、ｒ４（秒）を超える場合は、報知演出が選択されない。
【００６４】
図１１は、第２報知演出処理で使用する時間（計測値Ａ及びＢ）対報知演出テーブルであって、計測手段120により、今回の遊技の１枚目の遊技メダルの投入時から、今回の遊技の２枚目の遊技メダルの投入時までに計測された時間間隔である計測値Ａと、今回の遊技の２枚目の遊技メダルの投入時から、今回の遊技の３枚目の遊技メダルの投入時までに計測された時間間隔である計測値Ｂとの対応関係に基づいて、報知演出が設定されている。
図１２（ａ）は、第３報知演出処理で使用する時間（計測値Ｃ）対報知演出テーブルであって、計測手段120により、今回の遊技の１枚目の遊技メダルの投入時から、今回の遊技の３枚目の遊技メダルの投入時までに計測された時間間隔である計測値Ｃに基づいて、報知演出が設定されている。
【００６５】
（クレジット手段140）  前記クレジット手段140は、遊技メダルを予め投入して所定枚数（５０枚）まで貯留することが可能なものである。そして、ベットスイッチ16を押下することにより、このクレジット手段140に貯留した遊技メダルを、遊技開始の条件としての遊技メダルとして内部投入することができるように形成されている。なお、このベットスイッチ16は、マックスベットスイッチであって、１回の押下操作で遊技開始の条件である３枚の遊技メダルが内部投入される。
本実施の形態では、計測手段120は、ベットスイッチ16の操作による遊技メダルの投入検知も計測可能に形成されている。すなわち、計測手段120が、実際の遊技メダルの投入だけではなく、かかるクレジット手段140のベットスイッチ16を押下することによる内部投入の場合も、１枚投入時、２枚投入時、３枚投入時の計測を行い、実際の遊技メダル投入と同様に、計測値Ａ、Ｂ、Ｃ及びＤを測定している。そして、かかる計測値に基づいて、演出制御手段26により、ベットスイッチ16の投入時にも、実際の遊技メダル投入と同様に、計測値Ａ、Ｂ、Ｃ及びＤに基づいて、各時間対報知演出テーブルによって、報知演出を選択して実行するものである。
【００６６】
（演出データ記憶手段25）  前記演出データ記憶手段25は、報知手段66の演出データを記憶するためのものである。具体的には、例えば、ＢＢゲームの入賞時の報知手段66のスピーカー67から発生させるサウンドや、報知ランプ69の点灯、点滅の時間や順序等のデータや、表示装置68に表示される図柄模様及び文字列のデータが記憶されているものである。もちろん、記憶する演出内容は、これらに限定されるものではなく、予め記憶された音声や、振動や、他のランプの点灯等の種々の報知手段によるものでも良いものである。
また、演出データ記憶手段25は、前回以前の遊技の抽選結果である報知演出をするための演出データも記憶されている。
【００６７】
（演出制御手段26）  前記演出制御手段26は、演出データ記憶手段25からの各演出データを、制御装置20等からの制御信号に基づいて、報知手段66に出力し、かかる装置を制御するためのものである。
具体的には、ＢＢゲームや、ＲＢゲーム等や、他の小役等の当選フラグ成立の可能性が大きいときや、所定の当選フラグ成立中に所定の入賞有効ライン上に当該当選図柄が揃うことにより入賞したときに、演出データ記憶手段25からの演出情報に基づいて、報知ランプ69の所定位置のランプを点灯や点滅させたり、スピーカー67から所定の電子音を発生させたり、表示装置68に所定の図柄模様及び文字列を点灯表示させるためのものである。また、演出制御手段26は、前回以前の遊技の抽選結果の演出報知をするために、報知手段66を制御するものである。
【００６８】
（スロットマシン10の動作）  次に、前記構成を備えたスロットマシンの通常遊技の動作の概略について、図４から図９までに示したフローを用いて説明する。
先ず、図４に示すステップ１１０によりスタートスイッチ30のレバーが押下されたか否かが判定される。そして、スタートスイッチ30のレバーが押下されていないと判定された場合、次のステップ１１１に進む。
ステップ１１１において、遊技メダルの投入数が３枚投入未満であるか否かが判定される。そして、３枚投入未満であると判定された場合、次のステップ１１２に進む。
ステップ１１２において、ベットスイッチ16が押下されたか否かが判定される。そして、ベットスイッチ16が押下されていないと判定された場合、次のステップ１１３に進む。
【００６９】
ステップ１１３において、遊技メダルの投入が有ったか否かが判定される。そして、遊技メダルの投入が有ったと判定された場合、次のステップ１１４に進む。
ステップ１１４において、遊技メダルの投入が１枚投入であるか否かが判定される。そして、１枚投入であると判定された場合、次のステップ１１５に進む。
ステップ１１５において、計測手段120により、計測値Ａの計測が開始される。そして、次のステップ１１６に進む。
ステップ１１６において、計測手段120により、計測値Ｃの計測が開始される。そして、次のステップ１１７に進む。
【００７０】
ステップ１１７において、計測手段120により、計測値Ｄの計測が終了する。そして、次のステップ１１８に進む。
ステップ１１８において、前兆報知演出処理が実施される。そして、ステップ１１０に戻る。
前記ステップ１１１において、３枚投入未満でないと判定された場合、ステップ１１０に戻る。
前記ステップ１１２において、ベットスイッチ16が押下されていると判定された場合、ステップ１２９に進む。
【００７１】
ステップ１２９において、クレジット手段140により３枚投入までを自動実行できるように設定される。そして、ステップ１１４に進む。
前記ステップ１１３において、遊技メダルの投入が無いと判定された場合、ステップ１１０に戻る。
前記ステップ１１４において、１枚投入でないと判定された場合、次のステップ１１９に進む。
ステップ１１９において、遊技メダルの投入が２枚投入であるか否かが判定される。そして、２枚投入であると判定された場合、次のステップ１２０に進む。
【００７２】
ステップ１２０において、計測手段120により、計測値Ａの計測が終了する。そして、次のステップ１２１に進む。
ステップ１２１において、計測手段120により、計測値Ｂの計測が開始される。そして、次のステップ１２２に進む。
ステップ１２２において、第１報知演出処理が実施される。そして、ステップ１１０に戻る。
前記ステップ１１９において、２枚投入でないと判定された場合、次のステップ１２３に進む。
【００７３】
ステップ１２３において、遊技メダルの投入が３枚投入であることが確定される。そして、３枚投入であることが確定された場合、次のステップ１２４に進む。
ステップ１２４において、計測手段120により、計測値Ｂの計測が終了する。そして、次のステップ１２５に進む。
ステップ１２５において、計測手段120により、計測値Ｃの計測が終了する。そして、次のステップ１２６に進む。
ステップ１２６において、第２報知演出処理が実施される。そして、ステップ１１０に戻る。
【００７４】
前記ステップ１１０において、スタートスイッチ30のレバーが押下されていると判定された場合、次のステップ１２７に進む。
ステップ１２７において、遊技開始ができる投入枚数が投入されているか否かが判定される。すなわち、３枚の遊技メダルが投入されているか（あるいはベットスイッチ16による内部投入されているか）が判定される。そして、遊技開始ができる投入枚数が投入されていないと判定された場合、ステップ１１０に戻る。
前記ステップ１２７において、遊技開始ができる投入枚数が投入されていると判定された場合、次のステップ１２８に進む。
【００７５】
ステップ１２８において、第３報知演出処理が実施される。そして、次のステップ１４０（図５）に進む。
ステップ１４０において、当選抽選手段110により抽選処理が行われる。そして、次のステップ１４１に進む。
ステップ１４１において、回転リール40の回転が開始する。そして、次のステップ１４２に進む。
ステップ１４２において、ストップスイッチ50が操作されることにより、ストップスイッチ50がＯＮとなる。そして、次のステップ１４３に進む。
【００７６】
ステップ１４３において、回転リール40の回転停止処理が行われる。そして、次のステップ１４４に進む。
ステップ１４４において、三個の回転リール40に対応するストップスイッチ50の操作が行われたか否かが判定される。そして、三個の回転リール40に対応するストップスイッチ50の操作が行われたと判定された場合、次のステップ１４５に進む。
ステップ１４５において、当選フラグ成立中に当該当選フラグに対応する当選図柄が入賞有効ライン上に揃ったか否か、すなわち、入賞したか否かが判定される。そして、入賞したと判定された場合、次のステップ１４６に進む。
【００７７】
ステップ１４６において、当選図柄に相当する予め定めた特定の枚数の遊技メダルが払い出される。そして、次のステップ１４７に進む。
ステップ１４７において、今回の遊技の終了確定時から、次の遊技の１枚目の遊技メダルの投入時までの時間間隔である計測値Ｄを計測するための計測が開始される。そして、当該遊技が終了する。
前記ステップ１４４において、三個の回転リール40に対応するストップスイッチ50の操作が行われていないと判定された場合、ステップ１４２に戻る。
前記ステップ１４５において、入賞していないと判定された場合、ステップ１４６を飛び越して、遊技が終了する。
【００７８】
上述したステップ１１８の前兆報知演出処理について、図６（ａ）のフローを用いて説明する。
ステップ２１０において、報知演出の選択が実施される。具体的には、図１０（ａ）に示す時間対報知演出テーブルを使用して、計測値Ｄの時間に応じて、報知演出が決定されるものである。そして、次のステップ２１１に進む。
ステップ２１１において、今回の遊技において、前兆報知演出が選択されたか否かが判定される。そして、前兆報知演出が選択されていると判定された場合、次のステップ２１２に進む。
【００７９】
ステップ２１２において、前兆報知演出が実施される。なお、本形態では、前兆報知演出は前回以前の遊技の抽選結果を報知する演出である。この前兆報知演出は、第１報知演出、第２報知演出、第３報知演出の前兆となる演出であって、前回以前の遊技の抽選結果を報知せずにその他の演出に設定しても良い。そして、当該処理が終了する。
前記ステップ２１１において、前兆報知演出が選択されていないと判定された場合、当該処理が終了する。
上述したステップ１２２の第１報知演出処理について、図６（ｂ）のフローを用いて説明する。
【００８０】
ステップ２２０において、今回の遊技で、前兆報知演出、第１報知演出、第２報知演出、第３報知演出のうちのいずれかの報知演出が既に選択されたか否かが判定される。具体的には、図６（ａ）に示す前兆報知演出処理の演出選択において、いずれかの報知演出が既に選択されたか否かが判定されるものである。そして、前兆報知演出、第１報知演出、第２報知演出、第３報知演出のうちの未だいずれの報知演出も選択されていないと判定された場合、次のステップ２２１に進む。
ステップ２２１において、報知演出の選択が実施される。具体的には、図１０（ｂ）に示す時間（計測値Ａ）対報知演出テーブルを使用して、計測値Ａの時間に応じて、報知演出が決定されるものである。そして、次のステップ２２２に進む。
【００８１】
ステップ２２２において、ステップ２２１の演出選択又はそれ以前の前兆報知演出処理中の演出選択において、第１報知演出が選択されたか否かが判定される。そして、第１報知演出が選択されていると判定された場合、次のステップ２２３に進む。
ステップ２２３において、第１報知演出が実施される。そして、当該処理が終了する。
前記ステップ２２０において、前兆報知演出、第１報知演出、第２報知演出、第３報知演出のうちのいずれかの報知演出が選択されていると判定された場合、次のステップ２２２に進む。
前記ステップ２２２において、ステップ２２１の演出選択又はそれ以前の前兆報知演出処理中の演出選択において、第１報知演出が選択されていないと判定された場合、当該処理が終了する。
【００８２】
上述したステップ１２６の第２報知演出処理について、図７（ａ）のフローを用いて説明する。
ステップ２３０において、今回の遊技で、前兆報知演出、第１報知演出、第２報知演出、第３報知演出のうちのいずれかの報知演出が既に選択されたか否かが判定される。具体的には、図６（ａ）に示す前兆報知演出処理の演出選択又は図６（ｂ）の第１報知演出処理の演出選択において、前兆報知演出、第１報知演出、第２報知演出、第３報知演出のいずれかの報知演出が既に選択されたか否かが判定されるものである。そして、前兆報知演出、第１報知演出、第２報知演出、第３報知演出のうちの未だいずれの報知演出も選択されていないと判定された場合、次のステップ２３１に進む。
【００８３】
ステップ２３１において、報知演出の選択が実施される。具体的には、図１１に示す時間（計測値Ａ，Ｂ）対報知演出テーブルを使用して、計測値Ａ及びＢの時間に応じて、報知演出が決定されるものである。そして、次のステップ２３２に進む。
ステップ２３２において、ステップ２１０、ステップ２２１又はステップ２３１の演出選択の結果、第２報知演出が選択されたか否かが判定される。そして、第２報知演出が選択されていると判定された場合、次のステップ２３３に進む。
ステップ２３３において、第２報知演出が実施される。そして、当該処理が終了する。
前記ステップ２３０において、前兆報知演出、第１報知演出、第２報知演出、第３報知演出のうちのいずれかの報知演出が選択されていると判定された場合、次のステップ２３２に進む。
【００８４】
前記ステップ２３２において、ステップ２１０、ステップ２２１又はステップ２３１の演出選択の結果、第２報知演出が選択されていないと判定された場合、当該処理が終了する。
上述したステップ１２７の第３報知演出処理について、図７（ｂ）のフローを用いて説明する。
ステップ２４０において、今回の遊技で、前兆報知演出、第１報知演出、第２報知演出、第３報知演出のうちのいずれかの報知演出が既に選択されたか否かが判定される。具体的には、図６（ａ）に示す前兆報知演出処理の演出選択、図６（ｂ）の第１報知演出処理の演出選択、又は図７（ａ）の第２報知演出処理の演出選択において、前兆報知演出、第１報知演出、第２報知演出、第３報知演出のいずれかの報知演出が既に選択されたか否かが判定されるものである。そして、前兆報知演出、第１報知演出、第２報知演出、第３報知演出のうちの未だいずれの報知演出も選択されていないと判定された場合、次のステップ２４１に進む。
【００８５】
ステップ２４１において、報知演出の選択が実施される。具体的には、図１２（ａ）に示す時間（計測値Ｃ）対報知演出テーブルを使用して、計測値Ｃの時間に応じて、報知演出が決定されるものである。そして、次のステップ２４２に進む。
ステップ２４２において、ステップ２１０、ステップ２２１、ステップ２３１、又はステップ２４１の演出選択の結果、第３報知演出が選択されたか否かが判定される。そして、第３報知演出が選択されていると判定された場合、次のステップ２４３に進む。
ステップ２４３において、第３報知演出が実施される。そして、当該処理が終了する。
前記ステップ２４０において、前兆報知演出、第１報知演出、第２報知演出、第３報知演出のうちのいずれかの報知演出が選択されていると判定された場合、次のステップ２４２に進む。
【００８６】
前記ステップ２４２において、ステップ２１０、ステップ２２１、ステップ２３１、又はステップ２４１の演出選択の結果、第３報知演出が選択されていないと判定された場合、当該処理が終了する。
上述したステップ１４０の当選抽選処理について、図８のフローを用いて説明する。
ステップ３００において、当選抽選手段110の当選乱数発生手段111により発生された乱数の中から当選乱数抽出手段112により乱数が抽出される。そして、次のステップ３０１に進む。
ステップ３０１において、抽出された乱数が当選乱数抽出手段112の内部に記憶される。そして、次のステップ３０２に進む。
【００８７】
ステップ３０２において、当選判定手段114により、抽出された乱数と、当選判定テーブル記憶手段113の当選判定領域データとの比較が行われる。そして、次のステップ３０３に進む。
ステップ３０３において、当選判定手段114により、抽出された乱数が、当選判定テーブル記憶手段113のどの当選領域に含まれるか決定され、抽選処理の評価が決定される。そして、次のステップ３０４に進む。
ステップ３０４において、所定の図柄の蹴飛ばしと、所定図柄の引き込みとが設定される。そして、当選抽選処理が終了する。
【００８８】
上述したステップ１４３の回転リール40の回転停止処理について、図９を用いて説明する。
ステップ４００において、所定の図柄に対して、蹴飛ばしの設定が達成されたか否かが判定される。この蹴飛ばしの設定は、全ての入賞有効ライン上で、当選抽選手段110の抽選結果に基づいて不当入賞が発生しないように全ての停止操作タイミングにおいて、設定されているものである。そして、所定の図柄の蹴飛ばしの設定が達成されていないと判定された場合、次のステップ４０１に進む。
ステップ４０１において、１個の図柄分だけ、回転リール40を回転させる。すなわち、１個の図柄分だけ蹴飛ばしを行う。そして、次のステップ４０２に進む。
【００８９】
ステップ４０２において、上述した１個の図柄分だけ回転リール40を回転させた当該図柄の数がストップスイッチ50の操作後の４個目に該当するか否かが判定される。そして、ストップスイッチ50を操作した後、１図柄ずつ回転リール40を回転させてずらした図柄の数が４個目の場合には、次のステップ４０３に進む。
ステップ４０３において、回転リール40の回転を停止させる。これにより、メダル投入から回転リール40の回転停止までのスロットマシン10の動作が終了する。
前記ステップ４００において、所定の図柄の蹴飛ばしの設定が達成されていると判定された場合、次のステップ４０４に進む。
【００９０】
ステップ４０４において、いずれかの図柄に対して引き込みが設定されているか否かが判定される。そして、いずれかの図柄に対して引き込みが設定されていると判定された場合、次のステップ４０５に進む。
ステップ４０５において、引き込み設定が達成されたか否かが判定される。そして、引き込み設定が達成されたと判定された場合、次のステップ４０３に進む。
前記ステップ４０４において、いずれの図柄に対しても引き込みが設定されていないと判定された場合、ステップ４０３に進む。
前記ステップ４０５において、引き込み設定が達成されていないと判定された場合、ステップ４０１に進む。
【００９１】
前記ステップ４０２において、ストップスイッチ50を操作した後、１図柄ずつ回転リール40を回転させてずらした図柄の数が４個目でない場合には、ステップ４００に戻る。
なお、上述した実施の形態において、回転リール40の停止処理に関してステップ４０１乃至ステップ４０５で説明しているが、この例は、引き込み範囲図柄のうち、基準位置に近い図柄から条件を調査する、いわゆる最小引き込み停止制御の例である。逆に、引き込み範囲図柄のうち、基準位置に遠い図柄から条件を調査する、いわゆる最大引き込み停止制御としても良い。
なお、ここで、「基準位置」とは、図柄表示窓13内部に停止する図柄の停止位置の範囲のうち、予め定めた所定の位置を意味する。この基準位置は、図柄表示窓13内部の位置であれば、いずれの位置に設定しても良いものであり、回転リール40の図柄の停止位置を定めるための基準となる位置である。具体的には、この基準位置には、例えば、図柄表示窓13の上段に停止する図柄位置の中央の位置等が含まれる
更には、例えば、ストップスイッチ50を押すタイミングで予め定めたテーブルに従って回転リール40の停止位置を決定する、いわゆるテーブル停止制御の方法によるものでも良いものである。このテーブル停止制御は、当選フラグ成立の有無や、当選フラグ成立中の当選図柄に基づいた複数のテーブルを有し、この複数のテーブルから適宜、遊技状況に応じたテーブルが選択されるものである。
【００９２】
なお、テーブル停止制御においても、当選フラグが成立しているときには、その当選フラグに対応する図柄が入賞有効ライン上に揃うように、予めテーブルの上で停止位置が決定されてあり、いわゆる引き込み設定の一種を備えているものである。また、当選フラグが成立していないときには、他の当選図柄が入賞有効ライン上に揃わないように、予めテーブルの上で停止位置が決定されてあり、いわゆる蹴飛ばし設定の一種を備えているものである。
（作用）  本実施の形態では、遊技メダルの投入検知から、それ以後の遊技メダルの投入検知までの時間に対応して、あるいは、前回の遊技の終了確定時から今回の遊技の１枚目の遊技メダルの投入検知までの時間に対応して、実行する演出を変更している。具体的には、それらの時間に対応して、複数の異なる演出のうちから１つを選択することにより、演出内容を選択し、演出内容を変更している。
【００９３】
したがって、遊技メダルの投入検知から、それ以後の遊技メダルの投入検知までの時間により、あるいは、前回の遊技の終了確定時から今回の遊技の１枚目の遊技メダルの投入検知までの時間に対応して、演出を変更させることができ、遊技メダルの投入と、演出との間に関連性を持たせることができ、遊技メダルの投入のタイミングや、投入の時間間隔、すなわち遊技メダルの投入動作に遊技性を絡めることができる。結果として、遊技性の幅を拡げることができる。
そして、本実施の形態は、今回の遊技での遊技メダルの投入のタイミングや投入時間間隔に応じて、前兆報知演出、第１報知演出、第２報知演出、第３報知演出、報知演出無しのうちいずれか１つを選択して実行可能にしている。これにより、遊技メダルの投入のタイミングや投入時間間隔に応じて、前回以前の遊技の抽選結果に関する演出の報知演出時期を決定することができる。したがって、遊技メダルの投入のタイミングや時間間隔に応じて、報知演出時期を選択させることができ、遊技メダルの投入と、演出との間に関連性を持たせることができ、遊技メダルの投入に遊技性を絡めることができる。結果として、遊技性の幅を拡げることができる。
【００９４】
なお、ここで、前兆報知演出も、第１〜３報知演出と同様に、前回以前の遊技の当選抽選手段の抽選結果に設定しているが、特にこれに限定されるものではない。例えば、前兆報知演出を、前回の抽選結果とは関連性がなく、遊技メダルの投入時間間隔や、前回以前の遊技の当選抽選手段の抽選結果に全く影響されずに変化しない固定された演出に設定しても良いものである。
また、本実施の形態では、ベットスイッチ16の押下時によっても、前兆報知演出、前記第１報知演出、前記第２報知演出、前記第３報知演出、前記報知演出無しのうちいずれか１つを選択することができる。これにより、ベットスイッチ16の押下操作と、演出との間に関連性を持たせることができ、ベットスイッチ16の押下操作に遊技性を絡めることができる。結果として、遊技性の幅を拡げることができる。
【００９５】
（第２の実施の形態）
本実施の形態は、第１の実施の形態の内容から、前兆報知演出に関連する内容を削除したものである。すなわち、前兆報知演出を全く実施せず、したがって、前兆報知演出処理も必要としないものである。
本実施の形態に係る前記演出選択手段130は、第１の実施の形態と同様に、計測手段120が計測した時間に対応して、実行する演出を変更させるためのものである。具体的には、前記演出選択手段130は、計測手段120が計測した時間に対応して、実行する演出を選択するためのものである。すなわち、演出選択手段130は、計測手段120が計測した時間に対応して、異なる演出内容からなる複数の演出のうちから、１つの演出（演出内容）を、実行する演出として選択することにより、実行する演出を変更させることができるものである。
【００９６】
そして、本実施の形態に係る演出選択手段130は、先行する遊技メダルの投入検知から、それ以後の遊技メダルの投入検知までの時間に応じて、報知手段66による２枚目投入から３枚目投入までの間の第１報知演出、３枚目投入から前記スタートスイッチ30押下までの間の第２報知演出、前記スタートスイッチ30押下後の第３報知演出、報知手段66による報知演出無しのうちいずれか１つを選択して実行可能に形成されているものである。すなわち、本実施の形態に係る演出選択手段130は、第１の実施の形態とは異なり、前兆報知演出を有しない、残りの第１報知演出、第２報知演出及び第３報知演出の合計３つの報知演出のうちから、１つの演出を選択するものである。
【００９７】
したがって、本実施の形態に係るフローでは、第１の実施の形態で説明したフローのうち、図５のステップ１１８の前兆報知演出処理が削除され、図６（ａ）の前兆報知演出処理が削除され、図１０（ａ）のテーブルが削除されることになる。その他の構成は、第１の実施の形態で説明したものと同様であって、作用及び効果も同様である。
（作用）  本実施の形態に係るスロットマシンは、先行する遊技メダルの投入検知から、それ以後の遊技メダルの投入検知までの時間に応じて、第１報知演出、第２報知演出、第３報知演出、報知演出無しのうちいずれか１つを選択して実行可能にしている。これにより、遊技メダルの投入の時間間隔に応じて、前回以前の遊技の抽選結果に関する演出の演出内容と、報知演出時期とを選択して、変更することができる。したがって、遊技メダルの投入の時間間隔に応じて、演出内容や報知演出時期や報知演出の有無等を選択して変更させることができ、遊技メダルの投入と、演出との間に関連性を持たせることができ、遊技メダルの投入の時間間隔、すなわち遊技メダルの投入動作に遊技性を絡めることができる。結果として、遊技性の幅を拡げることができる。
【００９８】
（第３の実施の形態）
第１の実施の形態では、計測手段120の計測値によって、報知演出の演出時期と、報知演出の演出内容との両方が変更されていたが、本実施の形態では、演出時期は変更せずに、演出内容だけが選択されることにより、報知演出が変更されるように形成されているものである。
本実施の形態に係るスロットマシンは、第１の実施の形態と比較して、前兆報知演出、第２報知演出及び第３報知演出を有さずに、第１報知演出処理だけを有しているものである。そして、第１報知演出は、最終的に、前回以前の遊技の抽選結果を報知するものであるが、その演出表示する画面上のキャラクターや、その動きや、演出音等が異なることにより、演出内容がそれぞれ異なる演出ｐ、ｑ、ｒを有しているものである。そして、演出選択手段130は、遊技メダルの１枚目投入から２枚目投入までの時間である計測値Ａの値によって、演出ｐ、演出ｑ、演出ｒ、又は演出無しを選択するものである。
【００９９】
図１２（ｂ）は、本発明に係る第３の実施の形態であって、第１報知演出処理で使用する時間（計測値Ａ）対報知演出テーブルを示すものである。図１２（ｂ）に示すように、計測手段120により、今回の遊技の１枚目の遊技メダルの投入時から、今回の遊技の２枚目の遊技メダルの投入時までに計測された時間間隔である計測値Ａに基づいて、報知演出ｐ、ｑ、ｒが設定されている。具体的には、計測値Ａが、ｒ１（秒）以下の場合は、報知演出が選択されず、計測値Ａが、ｒ１（秒）を超えて、ｒ２（秒）以下の場合は、報知演出ｐが選択され、計測値Ａが、ｒ２（秒）を超えて、ｒ３（秒）以下の場合は、報知演出ｑが選択され、計測値Ａが、ｒ３（秒）を超えて、ｒ４（秒）以下の場合は、報知演出ｒが選択され、計測値Ａが、ｒ４（秒）を超える場合は、報知演出が選択されない。
【０１００】
本実施の形態では、遊技メダル（１枚目）の投入検知から、それ以後の遊技メダル（２枚目）の投入検知までの時間に対応して、実行する演出（第１報知演出）を変更している。具体的には、遊技メダル（１枚目）の投入検知から、それ以後の遊技メダル（２枚目）の投入検知までの時間に対応して、演出内容ｐ、ｑ、ｒを選択している。
したがって、遊技メダルの投入検知から、それ以後の遊技メダルの投入検知までの時間により、演出を変更させることができ、遊技メダルの投入と、演出との間に関連性を持たせることができ、遊技メダルの投入の時間間隔、すなわち遊技メダルの投入動作に遊技性を絡めることができる。結果として、遊技性の幅を拡げることができる。
【０１０１】
なお、本形態では、計測値Ａによって、第１報知演出の演出内容を変更しているが、特にこれに限定されるものではなく、第１の実施の形態で説明した計測値Ｂや、計測値Ｃや、計測値Ｄに基づいて、また、複数の計測値（例えば、図１１に示す計測値Ａ及びＢ）の組み合わせによって、複数の演出ｐ、ｑ、ｒ等から１つを選択することにより、演出内容を変更するように形成しても良い。
また、本実施の形態では、第１報知演出の内容を変更しているが、特にこれに限定されるものではなく、前兆報知演出や、第２報知演出や、第３報知演出のそれぞれの内容を複数の演出ｐ、ｑ、ｒ等から１つを選択することにより変更するように形成しても良い。
【０１０２】
上述した第１、第２及び第３の実施の形態では、第２報知演出処理で使用した時間対報知演出テーブルでは、計測値Ａと、計測値Ｂとの組み合わせによって、報知演出を決定していたが、必ずしもこれに限定されるものではなく、計測値Ｂと、計測値Ｃとの組み合わせや、計測値Ｃと、計測値Ａとの組み合わせによって、報知演出を決定するようなテーブルにしても良く、また、計測値Ａのみによって、報知演出を決定しても良く、計測値Ｂのみによって、報知演出を決定しても良く、また、計測値Ｃのみによって、報知演出を決定しても良い。
また、上述した第１、第２及び第３の実施の形態では、第３報知演出処理で使用した時間対報知演出テーブルでは、計測値Ｃのみによって、報知演出を決定していたが、必ずしもこれに限定されるものではなく、また、計測値Ａのみによって、報知演出を決定しても良く、計測値Ｂのみによって、報知演出を決定しても良く、また、計測値Ｂ及び計測値Ｃの組み合わせや、計測値Ｃ及び計測値Ａの組み合わせや、計測値Ａ及び計測値Ｂの組み合わせによって、報知演出を決定するようなテーブルにしても良い。
【０１０３】
更に、上述したような２つの計測値の組み合わせによって、演出を決定するテーブルを形成するものの代わりに、２つの計測値を合成（加算又は減算）し、あるいは、３つの計測値を合成（加算又は減算）して、演出を決定するテーブルを形成しても良いものである。
【図面の簡単な説明】
【０１０４】
【図１】本発明の第１の実施の形態であって、スロットマシンの入力、制御及び出力を示すブロック図である。
【図２】本発明の第１の実施の形態であって、（ａ）遊技制御手段を示すブロック図、（ｂ）当選抽選手段を示すブロック図である。
【図３】本発明の第１の実施の形態であって、スロットマシンを示す外観正面図である。
【図４】本発明の第１の実施の形態であって、スロットマシンの通常遊技の動作の概略を示すフローである。
【図５】本発明の第１の実施の形態であって、スロットマシンの通常遊技の動作の概略を示すフローである。
【図６】本発明の第１の実施の形態であって、（ａ）前兆報知演出処理を示すフロー、（ｂ）第１報知演出処理を示すフローである。
【図７】本発明の第１の実施の形態であって、（ａ）第２報知演出処理を示すフロー、（ｂ）第３報知演出処理を示すフローである。
【図８】本発明の第１の実施の形態であって、当選抽選処理を示すフローである。
【図９】本発明の第１の実施の形態であって、スロットマシンの動作のうち、回転リールの回転停止処理の概略を示すフローである。
【図１０】本発明の第１の実施の形態であって、（ａ）前兆報知演出処理で使用する時間対報知演出テーブル、（ｂ）第１報知演出処理で使用する時間対報知演出テーブルである。
【図１１】本発明の第１の実施の形態であって、第２報知演出処理で使用する時間対報知演出テーブルである。
【図１２】（ａ）本発明の第１の実施の形態であって、第３報知演出処理で使用する時間対報知演出テーブル、（ｂ）本発明の第３の実施の形態であって、第１報知演出処理で仕様する時間対報知演出テーブルである。
【符号の説明】
【０１０５】
10  遊技機（スロットマシン）            11  筐体
12  表示窓                              13  図柄表示窓
14  前扉                                15  投入スイッチ
16  ベットスイッチ                      17  精算スイッチ
18  メダル投入口                        20  制御装置
21  遊技制御装置                        22  演出制御装置
23  主基板                              25  演出データ記憶手段
26  演出制御手段                        27  遊技制御手段
30  スタートスイッチ                    31  変動表示開始手段
40  回転リール                          41  図柄表示手段
42  リールテープ                        43  左側回転リール
44  中央回転リール                      45  右側回転リール
50  ストップスイッチ                    51  変動表示停止手段
60  リールユニット                      61  図柄
62  モータードライバ                    63  駆動モーター
64  ステッピングモーター                65  払い出し装置
66  報知手段                            67  スピーカー
68  表示装置                            69  報知ランプ
70  通常遊技制御手段                    80  特別遊技制御手段
90  ＢＢゲーム制御手段                  91  特定導入遊技制御手段
100  ＲＢゲーム制御手段                101  特定遊技制御手段
110  当選抽選手段                      111  当選乱数発生手段
112  当選乱数抽出手段                  113  当選判定テーブル記憶手段
114  当選判定手段                      120  計測手段
130  演出選択手段                      140  クレジット手段
【図１】
0005285259.tif 000002
【図２】
0005285259.tif 000003
【図３】
0005285259.tif 000004
【図４】
0005285259.tif 000005
【図５】
0005285259.tif 000006
【図６】
0005285259.tif 000007
【図７】
0005285259.tif 000008
【図８】
0005285259.tif 000009
【図９】
0005285259.tif 000010
【図１０】
0005285259.tif 000011
【図１１】
0005285259.tif 000012
【図１２】
0005285259.tif 000013